(57)【要約】【課題】火災及び感電事故を防止できる埋め込み型コンセントを提供する。【解決手段】本埋め込み型コンセントは、取付面Ｗに埋め込まれたコンセントユニット搭載枠２と、このコンセントユニット搭載枠２に、プラグＰの厚み分あるいはそれ以上突出するように、出没自在に取り付けられた長方体形状のコンセントユニット３と、このコンセントユニット３の取付面Ｗと直交する側面部に設けられたプラグ差込口４を有する。【選択図】  図１
2005071794.tif 000002
【特許請求の範囲】
【請求項１】
取付面に埋め込まれたコンセントユニット搭載枠と、このコンセントユニット搭載枠に、プラグの厚み分あるいはそれ以上突出するように、出没自在に取り付けられた長方体形状のコンセントユニットと、このコンセントユニットの前記取付面と直交する側面部に設けられたプラグ差込口を有する埋め込み型コンセント。
【請求項２】
前記コンセントユニットは、独立して複数個、コンセント部搭載枠に取り付けられることを特徴とする請求項１に記載の埋め込み型コンセント。
【発明の詳細な説明】
【技術分野】
【０００１】
本発明は埋め込み型コンセントに係わり、特に出没自在なコンセントユニットを有する埋め込み型コンセントに関する。
【背景技術】
【０００２】
図６〜図８に示すように、従来の埋め込み型コンセント１１は、壁面Ｗに対しプラグ差込口１２が垂直であり、そのプラグ差込口１２は電源側及び接地側を左右に配置している。一方、プラグ側はその接続端子が板状であるため、コンセント口の形状を天地方向に長く設けることが一般的である。このためプラグ挿入後、コンセントの接触子１３は、プラグＰの接続端子Ｐａの形状に合わせ圧着カを左右より働かせ通電するようになっているが、プラグＰヘ上下方向の力が加わった場合、その圧着カは有効に働かず、抜けかかった状態で通電することになる。特にコンセント自体が老朽化している場合、接触子１３の圧着カが弱くなりその現象は著しい。この状態でプラグの接続端子が露出した場合、その接続端子Ｐａ上に塵埃などを蓄積し、発熱による火災を発生させる原因となる。
【０００３】
また、壁面に対しプラグ差込口が垂直であると、家庭のテレビ台のような家財道具と壁付きコンセントの間にはある程度の隙間を必要とするため、塵埃の溜まる原因となり、さらに、生活空間を狭くするし、プラグの抜き差しにも不便である。また、家財道具の移動等により壁面との隙間が狭い場合には、フラグを破損させることになる。
【０００４】
さらに、埋め込み型コンセントが、不使用状態の場合プラグ差込口が露出するため、幼児がヘアピン、ハサミなどの金属片を挿入し、感電災害などを起すことが考えられる。
【０００５】
近年、ＯＡ用デスクとして机板面に、このコンセントもしくは、テーブルタップを埋め込み使用するものが出回っている。これらは、上述のように、プラグ挿入口が天地方向に向いているため、塵埃やクリップ、ステイプルの金属針が入り易く、短絡の原因や火災の原因となり得る。
【０００６】
なお、特許文献１には、直方体形状の複数個のコンセントユニットをコンセントユニット搭載枠に必要な数だけ取り付け、コンセントユニットが実装されない部分を、コンセントユニットと同一形状の閉塞部材にて塞ぎ、一種類で多様な要求に対応でき、かつ新たなパネルとの交換なしに、新たなコンセントユニットの搭載を可能にする埋め込み型コンセントが提案されている。しかし、特許文献１の埋め込み型コンセントは、コンセントユニットが出没せず、また、壁面に対しプラグ差込口が垂直であり、不使用時プラグ差込口が露出して危険であり、さらに、プラグヘ上下方向の力が加わった場合、その圧着カは有効に働かず、抜けかかった状態で通電することになり、その接続端子上に塵埃などを蓄積し、発熱による火災を発生させる原因となるおそれがある。
【０００７】
そこで、火災及び感電事故を防止できる埋め込み型コンセントが要望されていた。
【特許文献１】特開２００１−３１９７３７号公報（［０００７］、［０００８］、［００１３］、図１）
【発明の開示】
【発明が解決しようとする課題】
【０００８】
本発明は上述した事情を考慮してなされたもので、火災及び感電事故を防止できる埋め込み型コンセントを提供することを目的とする。
【課題を解決するための手段】
【０００９】
上記目的を達成するため、本発明の１つの態様によれば、取付面に埋め込まれたコンセントユニット搭載枠と、このコンセントユニット搭載枠に、プラグの厚み分あるいはそれ以上突出するように、出没自在に取り付けられた長方体形状のコンセントユニットと、このコンセントユニットの前記取付面と直交する側面部に設けられたプラグ差込口を有する埋め込み型コンセントが提供される。これにより、火災及び感電事故を防止できる埋め込み型コンセントが実現される。
【００１０】
好適な一例では、前記コンセントユニットは、独立して複数個、コンセント部搭載枠に取り付けられる。
【発明の効果】
【００１１】
本発明に係わる埋め込み型コンセントによれば、火災及び感電事故を防止できる埋め込み型コンセントを提供することができる。
【発明を実施するための最良の形態】
【００１２】
以下、本発明に係わる埋め込み型コンセントの一実施形態について添付図面を参照して説明する。
【００１３】
図１は本発明に係わる埋め込み型コンセントの使用状態を一部切欠して示す正面図、図２はその縦断面図である。
【００１４】
図１及び図２に示すように、本発明に係わる埋め込み型コンセント１は、取付面、例えば壁面Ｗに埋め込まれたコンセントユニット搭載枠２と、このコンセントユニット搭載枠２に、プラグＰの厚み分あるいはそれ以上突出するように、出没自在に取り付けられた長方体形状のコンセントユニット３と、このコンセントユニット３の壁面Ｗと直交、すなわちプラグＰが壁面Ｗに対し平行になるようにコンセントユニット３の側面部に設けられたプラグ差込口４と、コンセントユニット搭載枠２を覆うカバー５を有している。
【００１５】
コンセントユニット３は、独立して複数個例えば３個、コンセント部搭載枠２に出没自在に取り付けられており、図２に示すように、使用時（コンセントユニット突出時）には、コンセントユニット３の側面部に設けられたプラグ差込口４のプラグＰを挿入することが可能になり、不使用時（コンセントユニット没時）には、プラグ差込口４が壁内に隠れるようになっている。コンセントユニット没状態で、コンセントユニットを固定するロック機構を設けておくのがより安全上好ましい。
【００１６】
なお、コンセントユニット３は、その形状が同一の直方体であるため、コンセントユニット３の方向を変えることにより、特定の面のみにプラグ差込口を選択することが可能である。
【００１７】
コンセントユニット３の出没は、コンセントユニット搭載枠２に設けられたコンセントユニット収納孔２ａ、カバー５に設けられたコンセントユニット収貫通孔２ａにコンセントユニット３が摺動自在に嵌合することで行なわれ、また、プラグＰの接続端子Ｐａが挿入されるコンセントユニット３の接触子３ａは、コンセントユニット搭載枠２に固定的に設けられた給電端子２ｂに摺動自在に嵌合し、通電可能になっている。
【００１８】
従って、図１に示すように、３個のコンセントユニット３を全て使用する場合には、図２に示すように、プラグＰがプラグ差込口４に挿入できるように突出させ、プラグＰが壁面Ｗに対し平行になるようにコンセントユニット３の側面部に設けられたプラグ差込口４にプラグＰを挿入する。不使用時には、図２及び図４に示すように、不使用のコンセントユニット３のみを没状態にして、プラグ差込口４が壁内に隠れるようにする。
【００１９】
本実施形態の埋め込み型コンセントは、プラグが壁面Ｗに対し平行になるようにコンセントユニットの側面部に設けられたプラグ差込口にプラグを挿入するので、垂直方向でコンセントに挿入しプラグ自重等により抜け易い従来の埋め込み型コンセントと異なり、プラグの自重等による抜け易さを防止できて、抜けかかった状態で通電することにより生じる接続端子上の塵埃などの蓄積に起因する発熱による火災を防止でき、安全である。また、不使用のコンセントユニットを没状態にして、プラグ差込口が壁内に隠れるようにするので、感電事故を防止でき安全である。
【００２０】
また、取付面として、机側板に本埋め込み型コンセントを設ければ、プラグ差込口が上方に向かないため、塵埃等の侵入を防止でき、プラグ差込口を多く必要とするＯＡ用机に最適である。プラグ差込口が、前面視上下左右に設けることが可能であるため、方向の限定した特長を有するコンセントの製作も容易であり、水場（水道の蛇口）に対し右側にコンセントが必要な場合、プラグ差込口を右側、下側のみに設けることにより、水分の浸入を防止することができ、漏電による火災の防止が図れる。
【００２１】
さらに、プラグが抜けかかった状態での外力（コードが引張られたりした場合）で起こるプラグのブレードの変形、プラグ絶縁部の破損等がある程度防止、プラグ差込口と家具との隙間を減少（生活空聞の確保）、さらに、机上に設置の場合は、クリップ等による短絡の防止、コンセントユニット数の自由な選択、コンセントユニット方向の自由な選択により使用目的に合った構造が選べるなどの効果も有する。
【００２２】
なお、本発明に係わる埋め込み型コンセントは、コンセントユニットが１個のものでも、また、図５に示すように、コンセントユニットを一列でなく、複数列並べたものであっても、本発明の効果が得られる。
【図面の簡単な説明】
【００２３】
【図１】本発明に係わる埋め込み型コンセントの一実施形態の使用状態を一部切欠して示す正面図。
【図２】本発明に係わる埋め込み型コンセントの使用状態の一実施形態を一部切欠して示す平面の縦断面図。
【図３】本発明に係わる埋め込み型コンセントの一実施形態の不使用状態を一部切欠して示す平面の縦断面図。
【図４】本発明に係わる埋め込み型コンセントの一実施形態の使用状態を一部切欠して示す側面の縦断面図。
【図５】本発明に係わる埋め込み型コンセントの他の実施形態の使用状態を一部切欠して示す正面図。
【図６】従来の埋め込み型コンセントの一実施形態の使用状態を一部切欠して示す正面図。
【図７】従来の埋め込み型コンセントの使用状態の一実施形態を一部切欠して示す平面の縦断面図。
【図８】従来の埋め込み型コンセントの一実施形態の使用状態を一部切欠して示す側面の縦断面図。
【符号の説明】
【００２４】
１  埋め込み型コンセント
２  コンセントユニット搭載枠
３  コンセントユニット
４  プラグ差込口
５  カバー
【図１】
2005071794.tif 000003
【図２】
2005071794.tif 000004
【図３】
2005071794.tif 000005
【図４】
2005071794.tif 000006
【図５】
2005071794.tif 000007
【図６】
2005071794.tif 000008
【図７】
2005071794.tif 000009
【図８】
2005071794.tif 000010